(57)【要約】【課題】  長期にわたって安定して消臭・殺菌効果を発揮でき、室内環境を快適に維持できると共にデザイン性の高い織物カレンダーを提供する。【解決手段】  織物カレンダー１０は、光触媒活性を有する材質である二酸化チタンを含む、吸湿性の高いレーヨン等のセルロース繊維を用いて綴れ織技法によって織られた縦長長方形の織物部１１を有している。織物部１１は、人物・風景等の絵柄が織られた上半分の絵画部分１１ａと、月日、曜日等が織られた下半分のカレンダー部分１１ｂとで構成されている。【選択図】    図１
0003115893.tif 000002
【実用新案登録請求の範囲】
【請求項１】
光触媒活性を有する材質が含まれた織物により構成されたことを特徴とする織物カレンダー。
【請求項２】
光触媒活性を有する材質が含まれた、セルロース繊維からなる織物により構成されたことを特徴とする織物カレンダー。
【請求項３】
光触媒活性を有する材質が含まれた、綴れ織技法によって織られた織物により構成されたことを特徴とする織物カレンダー。
【請求項４】
光触媒活性を有する材質が含まれた、綴れ織技法によって織られたセルロース繊維からなる織物により構成されたことを特徴とする織物カレンダー。
【考案の詳細な説明】
【技術分野】
【０００１】
本考案は、織物により構成された織物カレンダーに関する。
【背景技術】
【０００２】
従来、織物カレンダーとしては、例えば特許文献１に示すように、２枚の不織布、抄紙又は織物等のラミネートの間にカーボン粉末を挟持したラミネートの少なくとも片面側に印刷が施されているカーボン挟持積層体を一部又は全部に用いたものがある。しかし、カーボン粉末の場合、湿気や汚れを吸収することにより劣化しやすく、長期にわたって消臭、殺菌機能を維持することが困難である。
【特許文献１】特開２００３−８９２８６
【考案の開示】
【考案が解決しようとする課題】
【０００３】
本考案は、上記問題を解決しようとするもので、長期にわたって安定して消臭・殺菌効果を発揮でき、室内環境を快適に維持できると共にデザイン性の高い織物カレンダーを提供することを目的とする。
【課題を解決するための手段】
【０００４】
上記目的を達成するために、本考案の構成上の特徴は、光触媒活性を有する材質が含まれた織物により構成された織物カレンダーにある。なお、光触媒活性を有する材質を織物に含ませるには、繊維に含浸させてもよく、また織物に塗布してもよい。
【０００５】
上記のように構成した本考案においては、室内で使用される織物カレンダーに太陽光や電灯の光が照射されると、織物に付着した水分が光触媒活性を有する材質によって活性化されて水酸基フリーラジカルを発生する。この水酸基フリーラジカルにより、室内のタバコ臭（アセトアルデヒド）、汗臭（酢酸）、汗・尿による刺激臭（アンモニア）、シックハウス臭（ホルムアルデヒド）等の生活臭の消臭効果が発揮される。また、水酸基フリーラジカルは、黄色ブドウ球菌に対して抗菌作用があるため、繊維に付着した細菌の増殖が抑えられ、細菌の活動に伴う異臭の発生を防ぐと共に、室内環境を衛生的に保持することができる。また、カレンダーが織物により形成されているため、印刷物とは異なるカレンダーとしての視覚的な美観が高められる。
【０００６】
また、本考案において、織物カレンダーが、光触媒活性を有する材質が含まれた、セルロース繊維からなる織物により構成されることが好ましい。このように、合成繊維に比べて吸湿性の高いレーヨン等のセルロース繊維を用いることにより、水分の吸収が促進されるために光触媒活性がより有効に発揮され、消臭抗菌効果が適正に得られる。
【０００７】
さらに、本考案において、織物カレンダーが、光触媒活性を有する材質が含まれた、綴れ織技法によって織られた織物により構成されることが好ましい。このように、綴れ織技法によって織る織物カレンダーを用いることにより、光触媒活性が有効に発揮されると共にカレンダーのデザイン価値が高められる。
【考案の効果】
【０００８】
本考案によれば、太陽光や電灯の光の照射により、織物に含まれた光触媒活性を有する材質によって織物カレンダーに付着した水分が活性化されて水酸基フリーラジカルを発生し、この水酸基フリーラジカルによって室内のタバコ臭等の生活臭を消臭する効果が発揮され、また、繊維に付着した細菌の増殖が抑えられ、細菌の活動に伴う臭いの発生を防ぐと共に、室内環境を衛生的に保持することができる。特に、レーヨン等の吸湿性の高いセルロース繊維を用いることにより、光触媒活性が一層有効に発揮され、消臭抗菌効果が適正に得られ、また綴れ織技法によって織られた織物を用いることにより、カレンダーのデザイン価値が高められる。
【考案を実施するための最良の形態】
【０００９】
以下、本考案の一実施の形態について図面を用いて説明する。図１は、室内の壁、柱等に吊り下げられる消臭、抗菌作用を備えた織物カレンダーを正面図により概略的に示したものである。織物カレンダー１０は、光触媒活性を有する材質である二酸化チタンを含有したレーヨン等のセルロース繊維を用いて、綴れ織技法によって織られた縦長長方形の織物部１１の上下端に支持棒１２，１４が取り付けられている。上側の支持棒１２には、織物カレンダー１０を壁や柱等に吊るすための吊り紐１３が両端間にかけて取り付けられている。織物部１１は、人物・風景等の絵柄が織られている上半分の絵画部分１１ａと、月、日付、曜日等が織られている下半分のカレンダー部分１１ｂとで構成されている。
【００１０】
本実施例においては、室内にて壁等に吊るされた織物カレンダー１０に、太陽光や電灯の光が照射されることにより、織物部１１に付着した水分が、織物に含まれた二酸化チタンの光触媒活性化作用によって活性化されて水酸基フリーラジカルを発生する。この水酸基フリーラジカルにより、室内のタバコ臭等の生活臭を消臭する効果が発揮され、また、水酸基フリーラジカルは、黄色ブドウ球菌に対して抗菌作用があるため、繊維に付着した細菌の増殖が抑えられ、細菌の活動に伴う異臭の発生を防ぐと共に、室内環境を衛生的に保持することができる。
【００１１】
また、本実施例においては、織物部１１が吸湿性の高いレーヨン等のセルロース繊維を用いていることにより、水分が効率よく吸引されるため、光触媒活性が一層有効に発揮され、消臭抗菌作用がさらに効果的に得られる。また、本実施例においては、綴れ織技法によって織られた織物を用いることにより、光触媒活性が有効に発揮されると共に織物カレンダー１０のデザイン価値が高められる。
【００１２】
なお、上記実施例に示した織物カレンダーの外観形状については、これに限らず、種々のデザインが可能である。また、上記実施例においては、織物部は、二酸化チタンを含有した繊維を織ることにより形成されているが、これに代えて、織られた織物に二酸化チタン等の光触媒活性を有する材質を塗布するようにしてもよい。
【産業上の利用可能性】
【００１３】
本考案の織物カレンダーは、光触媒活性を有する材質が含まれた織物により構成されたものであり、太陽光や電灯の光の照射により、光触媒活性を有する材質によって織物に付着した水分が活性化されて水酸基フリーラジカルを発生し、水酸基フリーラジカルにより室内のタバコ臭等の生活臭を消臭する効果が発揮され、また、織物に付着した細菌の増殖が抑えられるので、有用である。
【図面の簡単な説明】
【００１４】
【図１】本考案の一実施例である消臭、抗菌作用を備えた織物カレンダーを概略的に示す正面図である。
【符号の説明】
【００１５】
１０…織物カレンダー、１１…織物部。
【図１】
0003115893.tif 000003